(57)【要約】【課題】取扱い性が良好でありながらも電子機器の筐体の薄型化及び小型化を可能とするペン及び該ペンを収納可能な筐体を有する電子機器を提供する。【解決手段】ペン１０は、先端に入力部３０を設けたペン本体３２を有し、電子機器１６の入力手段となる。ペン本体３２は、内筒３４と、内筒３４の外周側に内筒３４と同軸で軸方向に相対移動可能に設けられた外筒３５と、内筒３４の外周壁面に形成され、内筒３４と外筒３５とを軸方向に相対移動させた場合に外筒３５の外周壁面によって開閉される開口部３４ａと、開口部３４ａから出没可能に設けられることで、ペン本体３２の外径を拡縮する外径可変部材３６とを備える。【選択図】図２Ｂ
2018032128.tif 000002
【特許請求の範囲】
【請求項１】
先端に入力部を設けたペン本体を有し、電子機器の入力手段となるペンであって、
前記ペン本体は、内筒と、
前記内筒の外周側に該内筒と同軸で軸方向に相対移動可能に設けられた外筒と、
前記内筒及び前記外筒の一方の外周壁面に形成され、前記内筒と前記外筒とを軸方向に相対移動させた場合に他方の外周壁面によって開閉される開口部と、
前記開口部から出没可能に設けられることで、該ペン本体の外径を拡縮する外径可変部材とを備えることを特徴とするペン。
【請求項２】
請求項１記載のペンにおいて、
前記開口部は、前記内筒と前記外筒とを軸方向に相対移動させて前記ペン本体の全長が少なくとも最長となった状態で開かれる一方、前記ペン本体の全長が少なくとも最短となった状態で閉じられるものであり、
前記外径可変部材は、前記開口部が開かれた状態で該開口部から突出して前記ペン本体の外径を拡大する一方、前記開口部が閉じられた状態で該開口部から没して前記ペン本体の外径を縮小することを特徴とするペン。
【請求項３】
請求項２記載のペンにおいて、
前記開口部は、前記内筒の外周壁面に形成され、
前記外径可変部材は、前記内筒の内部に設けられて前記開口部から出没可能であることを特徴とするペン。
【請求項４】
請求項３記載のペンにおいて、
前記内筒の内部には、一端部が前記外筒に固定されることで該外筒と共に軸方向に移動可能であると共に、他端部に前記外径可変部材に摺接可能な傾斜面を有する押上軸部材が設けられ、
前記内筒と前記外筒とを軸方向に相対移動させ、前記ペン本体の全長が前記最短から前記最長となる方向に変化した場合に、前記押上軸部材の傾斜面が前記外径可変部材の内面に摺接して該外径可変部材を前記開口部から押し上げることを特徴とするペン。
【請求項５】
請求項３又は４記載のペンにおいて、
前記外径可変部材は、前記開口部から突出した状態で前記外筒の端面によって押圧された場合に該端面に摺接し、該外径可変部材を前記開口部から没する方向に移動させる受け面を有することを特徴とするペン。
【請求項６】
請求項３〜５のいずれか１項に記載のペンにおいて、
前記外径可変部材を前記開口部から没する方向に付勢する引寄弾性部材を備えることを特徴とするペン。
【請求項７】
請求項３〜６のいずれか１項に記載のペンにおいて、
前記外径可変部材は、前記ペン本体の軸方向で一端側が前記内筒の内周壁面に対して軸支され、他端側が移動自由に設けられていることを特徴とするペン。
【請求項８】
請求項２記載のペンにおいて、
前記開口部は、前記外筒の外周壁面に形成され、
前記外径可変部材は、前記外筒の内部に設けられて前記開口部から出没可能であることを特徴とするペン。
【請求項９】
請求項８記載のペンにおいて、
前記外筒の内部には、一端部が前記内筒に固定されることで該内筒と共に軸方向に移動可能であると共に、他端部に前記外径可変部材に摺接可能な傾斜面を有する押上軸部材が設けられ、
前記内筒と前記外筒とを軸方向に相対移動させ、前記ペン本体の全長が前記最短から前記最長となる方向に変化した場合に、前記押上軸部材の傾斜面が前記外径可変部材の内面に摺接して該外径可変部材を前記開口部から押し上げることを特徴とするペン。
【請求項１０】
請求項３又は８記載のペンにおいて、
前記外径可変部材を前記開口部から突出する方向に付勢する押上弾性部材を備えることを特徴とするペン。
【請求項１１】
請求項１〜１０のいずれか１項に記載のペンと、前記外径可変部材を前記開口部から没した状態とした前記ペンが収納されるペン収納穴を設けた筐体とを有することを特徴とする電子機器。
【発明の詳細な説明】
【技術分野】
【０００１】
本発明は、電子機器の入力手段となるペン及び該ペンを収納可能な筐体を有する電子機器に関する。
【背景技術】
【０００２】
ノートブック型パーソナルコンピュータ（ノート型ＰＣ）、タブレット型パーソナルコンピュータ（タブレット型ＰＣ）及びスマートフォン等の電子機器では、入力デバイスとしてペン（スタイラス）を用いることがある。
【０００３】
このようなペンは、持ち運びや収納等の観点から非使用時には機器の筐体に装着できることが望ましい。そこで、例えば特許文献１には、タブレット型ＰＣの筐体にペンを挿入して収納する細径長尺なペン収納穴を備えた構成が開示されている。
【先行技術文献】
【特許文献】
【０００４】
【特許文献１】特開平６−１１０５９５号公報
【発明の概要】
【発明が解決しようとする課題】
【０００５】
上記のような電子機器は筐体の薄型化及び小型化が急速に進んでおり、ペン収納穴、つまりペンについても可能な限りの細径化及び短尺化が求められている。またペン単体で持ち運ぶ際にも、ペンの外径及び全長は可能な限り小さい方が好ましい。一方、ペンはその取扱い性を考慮した場合にある程度太くて持ち易い外径及び全長を有する必要がある。
【０００６】
本発明は、上記従来技術の課題を考慮してなされたものであり、取扱い性が良好でありながらも電子機器の筐体の薄型化及び小型化を可能とするペン及び該ペンを収納可能な筐体を有する電子機器を提供することを目的とする。
【課題を解決するための手段】
【０００７】
本発明に係るペンは、先端に入力部を設けたペン本体を有し、電子機器の入力手段となるペンであって、前記ペン本体は、内筒と、前記内筒の外周側に該内筒と同軸で軸方向に相対移動可能に設けられた外筒と、前記内筒及び前記外筒の一方の外周壁面に形成され、前記内筒と前記外筒とを軸方向に相対移動させた場合に他方の外周壁面によって開閉される開口部と、前記開口部から出没可能に設けられることで、該ペン本体の外径を拡縮する外径可変部材とを備えることを特徴とする。
【０００８】
このような構成によれば、外径可変部材を開口部から没した位置とし、さらに内筒及び外筒の相対位置を最も近接した位置とすることで、ペン本体の外径及び全長を縮小させた収納形態となる。このためペンは、その外径及び全長を可及的に小さくすることができ、持ち運びが容易となる。また筐体に設けるペン収納穴の内径及び全長を収納形態のペンに合わせることができ、筐体の薄型化及び小型化が可能となる。しかも、ペンは、その使用時には外径可変部材を開口部から突出した位置とし、さらに内筒及び外筒の相対位置を最も離間した位置とすることで、ペン本体の外径及び全長を拡大させた使用形態となる。これにより、使用時のペンの取扱い性が良好となる。
【０００９】
前記開口部は、前記内筒と前記外筒とを軸方向に相対移動させて前記ペン本体の全長が少なくとも最長となった状態で開かれる一方、前記ペン本体の全長が少なくとも最短となった状態で閉じられるものであり、前記外径可変部材は、前記開口部が開かれた状態で該開口部から突出して前記ペン本体の外径を拡大する一方、前記開口部が閉じられた状態で該開口部から没して前記ペン本体の外径を縮小する構成であってもよい。そうすると、ペンの全長を短くする動作と外径を小さくする動作とが一致し、さらに全長を長くする動作と外径を大きくする動作とが一致するため、高い利便性が得られる。
【００１０】
前記開口部は、前記内筒の外周壁面に形成され、前記外径可変部材は、前記内筒の内部に設けられて前記開口部から出没可能な構成であってもよい。そうすると、内筒に対して外筒を相対移動させるだけで開口部を開閉し、外径可変部材を出没させることができ、取扱い性が向上する。
【００１１】
前記内筒の内部には、一端部が前記外筒に固定されることで該外筒と共に軸方向に移動可能であると共に、他端部に前記外径可変部材に摺接可能な傾斜面を有する押上軸部材が設けられ、前記内筒と前記外筒とを軸方向に相対移動させ、前記ペン本体の全長が前記最短から前記最長となる方向に変化した場合に、前記押上軸部材の傾斜面が前記外径可変部材の内面に摺接して該外径可変部材を前記開口部から押し上げる構成であってもよい。そうすると、開口部を開いた際に外径可変部材を確実に且つ安定して開口部から突出させることができる。
【００１２】
前記外径可変部材は、前記開口部から突出した状態で前記外筒の端面によって押圧された場合に該端面に摺接し、該外径可変部材を前記開口部から没する方向に移動させる受け面を有する構成であってもよい。そうすると、開口部を閉じてペン本体の全長を短くする動作と連動して外径可変部材を確実に且つ円滑に該開口部から没させることができる。
【００１３】
前記外径可変部材を前記開口部から没する方向に付勢する引寄弾性部材を備える構成であってもよい。そうすると、外径可変部材を開口部へとより円滑に収納することができる。
【００１４】
前記外径可変部材は、前記ペン本体の軸方向で一端側が前記内筒の内周壁面に対して軸支され、他端側が移動自由に設けられた構成であってもよい。そうすると、外径可変部材の開口部からの出没動作が一層円滑になると共に、外径可変部材ががたつきを生じることも防止できる。
【００１５】
前記開口部は、前記外筒の外周壁面に形成され、前記外径可変部材は、前記外筒の内部に設けられて前記開口部から出没可能な構成であってもよい。そうすると、外筒に対して内筒を相対移動させるだけで開口部を開閉し、外径可変部材を出没させることができ、取扱い性が向上する。
【００１６】
前記外筒の内部には、一端部が前記内筒に固定されることで該内筒と共に軸方向に移動可能であると共に、他端部に前記外径可変部材に摺接可能な傾斜面を有する押上軸部材が設けられ、前記内筒と前記外筒とを軸方向に相対移動させ、前記ペン本体の全長が前記最短から前記最長となる方向に変化した場合に、前記押上軸部材の傾斜面が前記外径可変部材の内面に摺接して該外径可変部材を前記開口部から押し上げる構成であってもよい。そうすると、開口部を開いた際に外径可変部材を確実に且つ安定して開口部から突出させることができる。
【００１７】
前記外径可変部材を前記開口部から突出する方向に付勢する押上弾性部材を備える構成であってもよい。そうすると、開口部の開閉動作と連動して外径可変部材を円滑に開口部から出没させることができる。
【００１８】
本発明に係る電子機器は、上記構成のペンと、前記外径可変部材を前記開口部から没した状態とした前記ペンが収納されるペン収納穴を設けた筐体とを有することを特徴とする。このような構成によれば、筐体を可及的に薄型化及び小型化することができる。
【発明の効果】
【００１９】
本発明によれば、ペンの取扱い性が良好でありながらも電子機器の筐体の薄型化及び小型化を図ることができる。
【図面の簡単な説明】
【００２０】
【図１】図１は、本発明の第１の実施形態に係るペンと、ペンを収納可能なペン収納穴を設けた筐体とを備えた電子機器の斜視図である。
【図２Ａ】図２Ａは、第１の実施形態に係るペンの外径及び全長を縮小させて収納形態とした状態での軸方向に沿う断面図である。
【図２Ｂ】図２Ｂは、図２Ａに示すペンの外径及び全長を拡大して使用形態とした状態での軸方向に沿う断面図である。
【図３Ａ】図３Ａは、図２Ａに示す収納形態のペンを軸方向先端から見た正面図である。
【図３Ｂ】図３Ｂは、図２Ｂに示す使用形態のペンを軸方向先端から見た正面図である。
【図４】図４は、変形例に係るペンの軸方向に沿う要部拡大断面図である。
【図５Ａ】図５Ａは、別の変形例に係るペンの外径及び全長を縮小させて収納形態とした状態での軸方向に沿う要部拡大断面図である。
【図５Ｂ】図５Ｂは、図５Ａに示すペンの外径及び全長を拡大して使用形態とした状態での軸方向に沿う要部拡大断面図である。
【図６Ａ】図６Ａは、第２の実施形態に係るペンの外径及び全長を縮小させて収納形態とした状態での軸方向に沿う要部拡大断面図である。
【図６Ｂ】図６Ｂは、図６Ａに示すペンの外径及び全長を拡大して使用形態とした状態での軸方向に沿う要部拡大断面図である。
【発明を実施するための形態】
【００２１】
以下、本発明に係るペンについて、このペンを収納可能な筐体を備えた電子機器を例示して好適な実施の形態を挙げ、添付の図面を参照しながら詳細に説明する。
【００２２】
図１は、本発明の第１の実施形態に係るペン１０と、ペン１０を収納可能なペン収納穴１２を設けた筐体１４とを備えた電子機器１６の斜視図である。
【００２３】
ペン１０は、スタイラス（デジタイザペン）と呼ばれる入力手段である。ペン１０は、非使用時には電子機器１６の筐体１４の一側面に設けられたペン収納穴１２に収納保持することができる。ここではペン１０をノート型ＰＣである電子機器１６と共に用いる構成を例示するが、ペン１０はノート型ＰＣ以外、例えばタブレット型ＰＣ、デスクトップ型パーソナルコンピュータ（デスクトップ型ＰＣ）、携帯電話、スマートフォン又は電子手帳等の各種電子機器と共に用いることができる。
【００２４】
図１に示すように、電子機器１６は、本体筐体１８とディスプレイ筐体１９とが、ヒンジ２０を介して開閉可能に連結された筐体１４を備える。本体筐体１８の上面にはキーボード２４が設けられている。ディスプレイ筐体１９の前面には液晶表示装置等で構成されたディスプレイ２６が設けられている。
【００２５】
ペン収納穴１２は、本体筐体１８の一側面の前端角部付近に開口形成されている。ペン収納穴１２は、外径及び全長を縮小させた状態（収納形態）のペン１０（図２Ａ参照）又はペン１０Ａ（図６Ａ参照）をがたつきなく収納可能な内径と深さ寸法を持った穴である。ペン収納穴１２は、ディスプレイ筐体１９に形成されていてもよい。
【００２６】
図２Ａは、第１の実施形態に係るペン１０の外径及び全長を縮小させて収納形態とした状態での軸方向に沿う断面図である。図２Ｂは、図２Ａに示すペン１０の外径及び全長を拡大して使用形態とした状態での軸方向に沿う断面図である。図３Ａは、図２Ａに示す収納形態のペン１０を軸方向先端から見た正面図である。図３Ｂは、図２Ｂに示す使用形態のペン１０を軸方向先端から見た正面図である。
【００２７】
図２Ａ及び図２Ｂに示すように、ペン１０は、先端に入力部３０を設けたペン本体３２を備える。ペン本体３２は、内筒３４と、内筒３４に外挿された外筒３５とを有する。ペン本体３２は、内筒３４と外筒３５が互いに相対移動可能に同軸配置された２重管である。
【００２８】
内筒３４は、外筒３５よりも小さい外径の円筒形状を有し、先細りテーパ形状に形成された先端部に入力部３０が設けられている。内筒３４の外周壁面には直径方向で一対の開口部３４ａが形成されている。開口部３４ａは、内筒３４の外周壁面を平面視で略矩形に開口させた孔部である。各開口部３４ａは、内筒３４の長手方向で中央よりも先端側となる位置で互いに対向している。内筒３４の後端部は外筒３５内で開口している。つまり内筒３４は、先端部が入力部３０で閉じられ、後端部が開口した筒体である。
【００２９】
内筒３４の内部には、各開口部３４ａに対応するように一対の外径可変部材３６が設けられている。各外径可変部材３６は、開口部３４ａから出没可能に設けられることで、ペン本体３２の外径を拡縮する部材である。外径可変部材３６は、側面視台形状の部品である。外径可変部材３６は、ペン本体３２の周方向に１個又は３個以上設けられてもよい。
【００３０】
外径可変部材３６の外面には、先端側から後端側に向かって順に、先端係止面３６ａ、傾斜外面３６ｂ、ベース面３６ｃ、受け面３６ｄ、後端係止面３６ｅが設けられている。先端係止面３６ａ及び後端係止面３６ｅは、それぞれ開口部３４ａの先端側及び後端側の縁部に係止されることで外径可変部材３６の開口部３４ａからの抜け止めとなるストッパ部である。傾斜外面３６ｂは、先端側から後端側に向かって次第に外径可変部材３６の厚みを増加させる後上がりの傾斜面である。ベース面３６ｃは、外径可変部材３６が開口部３４ａから最も突出した使用形態において内筒３４や外筒３５の外周壁面と平行する面であり、例えば内筒３４の外周面と同一の曲率を持った曲面である（図３Ａ及び図３Ｂ参照）。受け面３６ｄは、先端側から後端側に向かって次第に外径可変部材３６の厚みを減少させる後下がりの傾斜面である。
【００３１】
内筒３４の内部には、押上軸部材３８が軸方向に挿入されている。押上軸部材３８の後端部は、内筒３４の後端開口を通して外筒３５の内周壁面に固定されている。押上軸部材３８の先端部には、各外径可変部材３６の内面に摺接可能な傾斜面３８ａを持った楔部３８ｂが設けられている。傾斜面３８ａは、先端側から後端側に向かって次第に縮径した後細りのテーパ面である。押上軸部材３８は、内筒３４の内部で外筒３５と一体的に軸方向に移動可能であり、この移動時に楔部３８ｂの傾斜面３８ａが外径可変部材３６に摺接する。
【００３２】
外筒３５は、内筒３４よりも大きい外径の円筒形状を有する。外筒３５は、内筒３４の外周側に内筒３４と同軸で軸方向に相対移動可能に挿入されている。外筒３５の先端部は内筒３４を飲み込んだ状態で開口している。外筒３５の後端部は内筒３４の後端部を包み込んだ状態で閉じられている。つまり外筒３５は、先端部が開口し、後端部が閉じられた筒体である。
【００３３】
なお、内筒３４の内部には基板４０が設けられ、外筒３５の内部には充電部４１が設けられている。基板４０は、当該ペン１０の駆動や充填を制御する制御基板である。基板４０は、図示しない配線によって入力部３０と電気的に接続されている。充電部４１は、バッテリ装置を含み、外筒３５の外周壁面に露出した充電端子４２と接続されている。充電端子４２は、ペン１０が筐体１４のペン収納穴１２に収納された状態で筐体１４側の図示しない電源端子と接続可能である。充電部４１は、基板４０と配線４４を介して電気的に接続されている。配線４４は、内筒３４と外筒３５の相対移動時にも長さが足りるように余裕を持った長さに設定されている。
【００３４】
次に、ペン１０を収納形態と使用形態に変化させる動作を説明する。
【００３５】
図２Ａに示すように、ペン１０は、内筒３４と外筒３５を互いに近接する方向に相対移動させ、その全長を最短の長さＬ１に設定すると収納形態となる。この収納形態では、内筒３４の開口部３４ａが外筒３５の外周壁面によって閉じられた状態となり、外径可変部材３６も内筒３４及び外筒３５内に没している。このため、図３Ａに示すようにペン１０の外径が外筒３５の外径と一致し、最も小さい外径Ｄ１となる。なお、外径可変部材３６は先端係止面３６ａ側より後端係止面３６ｅ側が内筒３４の軸心に近い位置に配置された傾斜姿勢となっている。
【００３６】
このようにペン１０は、収納形態では外径及び全長が最も縮小した長さＬ１及び外径Ｄ１となる。このため、筐体１４のペン収納穴１２をこの収納形態のペン１０を収納可能な最小限の大きさに形成することができ、筐体１４の薄型化及び小型化が可能となる。またペン１０の外径及び全長が小さいため、持ち運びも容易となる。
【００３７】
収納形態にあるペン１０を使用形態に変化させる場合は、図２Ｂに示すように、内筒３４と外筒３５を互いに離間する方向に相対移動させ、その全長を最長の長さＬ２に設定する。この使用形態では、外筒３５の外周壁面が開口部３４ａから位置ずれし、内筒３４の開口部３４ａが開かれた状態となる。この際、押上軸部材３８は、外筒３５と共に内筒３４に対して軸方向後方側に移動する。このため、押上軸部材３８の楔部３８ｂは、傾斜面３８ａによって外径可変部材３６を開口部３４ａから突出する方向に押し上げた後、その先端側の円柱部分で保持する。その結果、外径可変部材３６は、先端係止面３６ａ及び後端係止面３６ｅがそれぞれ開口部３４ａの縁部に係止され、ベース面３６ｃが開口部３４ａから最も突出して内筒３４や外筒３５の外周面と平行した状態となる。このため、図３Ｂに示すように、ペン１０の外径が外径可変部材３６によって拡大した最も大きい外径Ｄ２となる。
【００３８】
このようにペン１０は、使用形態では外径及び全長が最も拡大した長さＬ２及び外径Ｄ２となる。この際、外径可変部材３６は、先端の入力部３０よりも軸方向で多少後方となる位置で内筒３４及び外筒３５の外径よりも外側に突出し、ペン１０の外径を拡大している。このため、ペン１０の使用時にはこの外径可変部材３６による大径部分を指で把持することで高い操作性が得られる。また、ペン１０の全長も長いため、持ち易さが一層良好となる。
【００３９】
一方、使用形態にあるペン１０を収納形態とする場合は上記と逆の動作を行えばよい。すなわち、図２Ｂに示す使用形態にあるペン１０の内筒３４と外筒３５との間を互いに近接する方向に相対移動させ、図２Ａに示す収納形態に変化させればよい。この際、外径可変部材３６は、押上軸部材３８の楔部３８ｂが先端側に移動することで開口部３４ａからの突出方向への支持が解除される。同時に、外筒３５の先端側の端面３５ａが外径可変部材３６の受け面３６ｄを押圧しながら摺接する。その結果、外径可変部材３６は再び開口部３４ａから没することになる。
【００４０】
なお、図２Ａ及び図２Ｂに示す構成例では、外径可変部材３６は内筒３４内で開口部３４ａの縁部と押上軸部材３８との間で抜け止め支持されるため、移動自由な状態で設置されている。しかしながら、図４に示すように、例えば外径可変部材３６の先端係止面３６ａ付近を内筒３４の内周壁面に対して揺動軸４６を用いて軸支してもよい。この際、外径可変部材３６の後端係止面３６ｅ側は移動自由とされている。そうすると、外径可変部材３６のがたつきの発生を防止でき、開口部３４ａからの出没動作も一層円滑となる。
【００４１】
図４に示すように、例えば揺動軸４６の周囲にねじりコイルばねで構成した引寄弾性部材４８を設けてもよい。引寄弾性部材４８は、外径可変部材３６を開口部３４ａから没する方向に常時付勢している。これにより外径可変部材３６のがたつきの発生を一層確実に防止できる。また、ペン１０を使用形態から収納形態に変化させる際の外径可変部材３６の開口部３４ａ内への収納動作が一層円滑になる。なお、図２Ａ及び図２Ｂに示すように、揺動軸４６を設けていない外径可変部材３６についても、例えばコイルばね等の引寄弾性部材４８を用いて外径可変部材３６を開口部３４ａから没する方向に常時付勢してもよい。これによっても外径可変部材３６のがたつきを防止し、動作も円滑なものとなる。
【００４２】
図５Ａ及び図５Ｂに示すように、押上軸部材３８は省略してもよい。この構成では、外径可変部材３６を揺動軸４６で軸支すると共に、揺動軸４６の周囲にねじりコイルばねで構成した押上弾性部材４９を設けている。押上弾性部材４９は、外径可変部材３６を開口部３４ａから突出する方向に常時付勢している。これにより外径可変部材３６は、開口部３４ａの外筒３５による開閉動作に応じて押上弾性部材４９の付勢力と外筒３５の押圧作用とが付与されて開口部３４ａから出没する。
【００４３】
図６Ａは、第２の実施形態に係るペン１０Ａの外径及び全長を縮小させて収納形態とした状態での軸方向に沿う要部拡大断面図である。図６Ｂは、図６Ａに示すペン１０Ａの外径及び全長を拡大して使用形態とした状態での軸方向に沿う要部拡大断面図である。第２の実施形態に係るペン１０Ａにおいて、上記第１の実施形態に係るペン１０と同一又は同様な機能及び効果を奏する要素には同一の参照符号を付し、詳細な説明を省略する。
【００４４】
図６Ａ及び図６Ｂに示すように、ペン１０Ａは、先端に入力部３０を設けたペン本体５０を備える。ペン本体５０は、内筒５４と、内筒５４に外挿された外筒５５とを有する。ペン本体５０は、内筒５４と外筒５５が互いに相対移動可能に同軸配置された２重管である。ペン１０Ａは、上記したペン１０の内筒３４と外筒３５の位置関係を反対に構成したものである。
【００４５】
外筒５５は、内筒５４よりも大きい外径の円筒形状を有し、先細りテーパ形状に形成された先端部に入力部３０が設けられている。外筒５５の外周壁面には直径方向で一対の開口部３４ａが形成されている。外筒５５の後端部は開口しており、ここから内筒５４の後端部が後方に飛び出している。つまり外筒５５は、先端部が入力部３０で閉じられ、後端部が開口した筒体である。
【００４６】
外筒５５の内部には、各開口部３４ａに対応するように一対の外径可変部材３６が設けられている。外径可変部材３６は、その先端係止面３６ａ付近が外筒５５の内周壁面に対して揺動軸４６を用いて軸支されている。
【００４７】
内筒５４は、外筒５５よりも小さい外径の円筒形状を有する。内筒５４は、外筒５５の内周側に外筒５５と同軸で軸方向に相対移動可能に挿入されている。内筒５４の先端部は、外筒５５内で一対の外径可変部材３６を飲み込み可能に開口しており、外筒５５の開口部３４ａの先端側の縁部まで到達可能な位置にある（図６Ａ参照）。内筒５４の後端部は内筒５４の後端部から飛び出した状態で閉じられている。つまり内筒５４は、先端部が開口し、後端部が閉じられた筒体である。基板４０及び充電部４１は内筒５４の内部に設けられている。
【００４８】
押上軸部材３８の後端部は、内筒５４の内周壁面に固定されている。押上軸部材３８の先端部には、各外径可変部材３６の内面に摺接可能な傾斜面３８ａを持った楔部３８ｂが設けられている。楔部３８ｂは、外筒５５の内部まで到達可能な位置に設定されている（図６Ａ参照）。
【００４９】
次に、ペン１０Ａを収納形態と使用形態に変化させる動作を説明する。
【００５０】
図６Ａに示すように、ペン１０Ａは、内筒５４と外筒５５を互いに近接する方向に相対移動させ、その全長を最短の長さＬ１に設定すると収納形態となる。この収納形態では、外筒５５の開口部３４ａが内筒５４の外周壁面によって閉じられた状態となり、外径可変部材３６も内筒５４及び外筒５５内に没している。このため、図３Ａに示すペン１０の場合と同様に、ペン１０Ａの外径が外筒５５の外径と一致し、最も小さい外径Ｄ１となる。つまりペン１０Ａにおいても、収納形態では外径及び全長が最も縮小した長さＬ１及び外径Ｄ１となる。
【００５１】
収納形態にあるペン１０Ａを使用形態に変化させる場合は、図６Ｂに示すように、内筒５４と外筒５５を互いに離間する方向に相対移動させ、その全長を最長の長さＬ２に設定する。この使用形態では、内筒５４の外周壁面が開口部３４ａから位置ずれし、外筒５５の開口部３４ａが開かれた状態となる。この際、押上軸部材３８は、内筒５４と共に外筒５５に対して軸方向後方側に移動する。このため、押上軸部材３８の楔部３８ｂは、傾斜面３８ａによって外径可変部材３６を開口部３４ａから突出する方向に押し上げた後、その先端側の円柱部分で保持する。その結果、外径可変部材３６は、先端係止面３６ａ及び後端係止面３６ｅがそれぞれ開口部３４ａの縁部に係止され、ベース面３６ｃが開口部３４ａから最も突出して内筒５４や外筒５５の外周面と平行した状態となる。このため、図３Ｂに示すペン１０の場合と同様に、ペン１０Ａの外径が外径可変部材３６によって拡大した最も大きい外径Ｄ２となる。つまりペン１０Ａにおいても、使用形態では外径及び全長が最も拡大した長さＬ２及び外径Ｄ２となる。
【００５２】
一方、使用形態にあるペン１０Ａを収納形態とする場合は上記と逆の動作を行えばよい。すなわち、図６Ｂに示す使用形態にあるペン１０Ａの内筒５４と外筒５５との間を互いに近接する方向に相対移動させ、図６Ａに示す収納形態に変化させればよい。この際、外径可変部材３６は、押上軸部材３８の楔部３８ｂが先端側に移動することで開口部３４ａからの突出方向への支持が解除される。同時に、内筒５４の先端側の端面５４ａが外径可変部材３６の受け面３６ｄを押圧しながら摺接する。その結果、外径可変部材３６は再び開口部３４ａから没することになる。
【００５３】
なお、ペン１０Ａにおいても、揺動軸４６の周囲に図４に示す引寄弾性部材４８を設けてもよい。またペン１０Ａにおいても、図５Ａに示す押上弾性部材４９を設けて押上軸部材３８を省略してもよい。
【００５４】
以上のように、上記第１（第２）の実施形態に係るペン１０（１０Ａ）は、先端に入力部３０を設けたペン本体３２（５０）を有し、電子機器１６の入力手段となる構成において、ペン本体３２（５０）は、内筒３４（５４）と、内筒３４（５４）の外周側に内筒３４（５４）と同軸で軸方向に相対移動可能に設けられた外筒３５（５５）と、内筒３４（５４）及び外筒３５（５５）の一方の外周壁面に形成され、内筒３４（５４）と外筒３５（５５）とを軸方向に相対移動させた場合に他方の外周壁面によって開閉される開口部３４ａと、開口部３４ａから出没可能に設けられることで、ペン本体３２（５０）の外径を拡縮する外径可変部材３６とを備える。
【００５５】
従って、ペン１０（１０Ａ）は、外径可変部材３６を開口部３４ａから没した位置とし、さらに内筒３４（５４）及び外筒３５（５５）の相対位置を最も近接した位置とすることで、ペン本体３２（５０）の外径及び全長を縮小させた収納形態となる。このため、ペン１０（１０Ａ）の外径及び全長を可及的に小さくすることができ、持ち運びが容易となる。またペン１０（１０Ａ）は、この収納形態で電子機器１６の筐体１４に設けたペン収納穴１２に収納することができる。これにより、ペン収納穴１２の内径及び全長を収納形態のペン１０（１０Ａ）に合わせることができ、筐体１４の薄型化及び小型化が可能となる。しかも、ペン１０（１０Ａ）は、その使用時には外径可変部材３６を開口部３４ａから突出した位置とし、さらに内筒３４（５４）及び外筒３５（５５）の相対位置を最も離間した位置とすることで、ペン本体３２（５０）の外径及び全長を拡大させた使用形態となる。これにより、使用時のペン１０（１０Ａ）の取扱い性が良好となる。
【００５６】
当該ペン１０（１０Ａ）では、開口部３４ａは、内筒３４（５４）と外筒３５（５５）とを軸方向に相対移動させてペン本体３２（５０）の全長が少なくとも最長となった状態で開かれる一方、ペン本体３２（５０）の全長が少なくとも最短となった状態で閉じられる。そして、外径可変部材３６は、開口部３４ａが開かれた状態で開口部３４ａから突出してペン本体３２（５０）の外径を拡大する一方、開口部３４ａが閉じられた状態で開口部３４ａから没してペン本体３２（５０）の外径を縮小する。これにより、ペン１０（１０Ａ）の全長を短くする動作と外径を小さくする動作とが一致し、さらに全長を長くする動作と外径を大きくする動作とが一致するため、高い利便性が得られる。
【００５７】
なお、本発明は、上記した実施形態に限定されるものではなく、本発明の主旨を逸脱しない範囲で自由に変更できることは勿論である。
【符号の説明】
【００５８】
１０，１０Ａ  ペン
１２  ペン収納穴
１４  筐体
１６  電子機器
３０  入力部
３２，５０  ペン本体
３４，５４  内筒
３４ａ  開口部
３５，５５  外筒
３５ａ，５４ａ  端面
３６  外径可変部材
３６ｄ  受け面
３８  押上軸部材
３８ａ  傾斜面
３８ｂ  楔部
４６  揺動軸
４８  引寄弾性部材
４９  押上弾性部材
【図１】
2018032128.tif 000003
【図２Ａ】
2018032128.tif 000004
【図２Ｂ】
2018032128.tif 000005
【図３Ａ】
2018032128.tif 000006
【図３Ｂ】
2018032128.tif 000007
【図４】
2018032128.tif 000008
【図５Ａ】
2018032128.tif 000009
【図５Ｂ】
2018032128.tif 000010
【図６Ａ】
2018032128.tif 000011
【図６Ｂ】
2018032128.tif 000012
【手続補正書】
【提出日】平成29年6月7日(2017.6.7)
【手続補正１】
【補正対象書類名】特許請求の範囲
【補正対象項目名】全文
【補正方法】変更
【補正の内容】
【特許請求の範囲】
【請求項１】
先端に入力部を設けたペン本体を有し、電子機器の入力手段となるペンであって、
前記ペン本体は、内筒と、
前記内筒の外周側に該内筒と同軸で軸方向に相対移動可能に設けられた外筒と、
前記内筒及び前記外筒の一方の外周壁面に形成され、前記内筒と前記外筒とを軸方向に相対移動させた場合に他方の外周壁面によって開閉される開口部と、
前記開口部から出没可能に設けられることで、該ペン本体の外径を拡縮する外径可変部材とを備え、
前記開口部は、前記内筒と前記外筒とを軸方向に相対移動させて前記ペン本体の全長が少なくとも最長となった状態で開かれる一方、前記ペン本体の全長が少なくとも最短となった状態で閉じられるものであり、
前記外径可変部材は、前記開口部が開かれた状態で該開口部から突出して前記ペン本体の外径を拡大する一方、前記開口部が閉じられた状態で該開口部から没して前記ペン本体の外径を縮小し、
前記開口部は、前記内筒の外周壁面に形成され、
前記外径可変部材は、前記内筒の内部に設けられて前記開口部から出没可能であり、
前記外径可変部材は、前記開口部から突出した状態で前記外筒の端面によって押圧された場合に該端面に摺接し、該外径可変部材を前記開口部から没する方向に移動させる受け面を有することを特徴とするペン。
【請求項２】
先端に入力部を設けたペン本体を有し、電子機器の入力手段となるペンであって、
前記ペン本体は、内筒と、
前記内筒の外周側に該内筒と同軸で軸方向に相対移動可能に設けられた外筒と、
前記内筒及び前記外筒の一方の外周壁面に形成され、前記内筒と前記外筒とを軸方向に相対移動させた場合に他方の外周壁面によって開閉される開口部と、
前記開口部から出没可能に設けられることで、該ペン本体の外径を拡縮する外径可変部材とを備え、
前記開口部は、前記内筒と前記外筒とを軸方向に相対移動させて前記ペン本体の全長が少なくとも最長となった状態で開かれる一方、前記ペン本体の全長が少なくとも最短となった状態で閉じられるものであり、
前記外径可変部材は、前記開口部が開かれた状態で該開口部から突出して前記ペン本体の外径を拡大する一方、前記開口部が閉じられた状態で該開口部から没して前記ペン本体の外径を縮小し、
前記開口部は、前記内筒の外周壁面に形成され、
前記外径可変部材は、前記内筒の内部に設けられて前記開口部から出没可能であり、
前記外径可変部材は、前記ペン本体の軸方向で一端側が前記内筒の内周壁面に対して軸支され、他端側が移動自由に設けられていることを特徴とするペン。
【請求項３】
請求項１又は２記載のペンにおいて、
前記内筒の内部には、一端部が前記外筒に固定されることで該外筒と共に軸方向に移動可能であると共に、他端部に前記外径可変部材に摺接可能な傾斜面を有する押上軸部材が設けられ、
前記内筒と前記外筒とを軸方向に相対移動させ、前記ペン本体の全長が前記最短から前記最長となる方向に変化した場合に、前記押上軸部材の傾斜面が前記外径可変部材の内面に摺接して該外径可変部材を前記開口部から押し上げることを特徴とするペン。
【請求項４】
請求項１〜３のいずれか１項に記載のペンにおいて、
前記外径可変部材を前記開口部から没する方向に付勢する引寄弾性部材を備えることを特徴とするペン。
【請求項５】
先端に入力部を設けたペン本体を有し、電子機器の入力手段となるペンであって、
前記ペン本体は、内筒と、
前記内筒の外周側に該内筒と同軸で軸方向に相対移動可能に設けられた外筒と、
前記内筒及び前記外筒の一方の外周壁面に形成され、前記内筒と前記外筒とを軸方向に相対移動させた場合に他方の外周壁面によって開閉される開口部と、
前記開口部から出没可能に設けられることで、該ペン本体の外径を拡縮する外径可変部材とを備え、
前記開口部は、前記内筒と前記外筒とを軸方向に相対移動させて前記ペン本体の全長が少なくとも最長となった状態で開かれる一方、前記ペン本体の全長が少なくとも最短となった状態で閉じられるものであり、
前記外径可変部材は、前記開口部が開かれた状態で該開口部から突出して前記ペン本体の外径を拡大する一方、前記開口部が閉じられた状態で該開口部から没して前記ペン本体の外径を縮小し、
前記開口部は、前記内筒の外周壁面に形成され、
前記外径可変部材は、前記内筒の内部に設けられて前記開口部から出没可能であり、
前記外径可変部材を前記開口部から突出する方向に付勢する押上弾性部材を備えることを特徴とするペン。
【請求項６】
先端に入力部を設けたペン本体を有し、電子機器の入力手段となるペンであって、
前記ペン本体は、内筒と、
前記内筒の外周側に該内筒と同軸で軸方向に相対移動可能に設けられた外筒と、
前記内筒及び前記外筒の一方の外周壁面に形成され、前記内筒と前記外筒とを軸方向に相対移動させた場合に他方の外周壁面によって開閉される開口部と、
前記開口部から出没可能に設けられることで、該ペン本体の外径を拡縮する外径可変部材とを備え、
前記開口部は、前記内筒と前記外筒とを軸方向に相対移動させて前記ペン本体の全長が少なくとも最長となった状態で開かれる一方、前記ペン本体の全長が少なくとも最短となった状態で閉じられるものであり、
前記外径可変部材は、前記開口部が開かれた状態で該開口部から突出して前記ペン本体の外径を拡大する一方、前記開口部が閉じられた状態で該開口部から没して前記ペン本体の外径を縮小し、
前記開口部は、前記外筒の外周壁面に形成され、
前記外径可変部材は、前記外筒の内部に設けられて前記開口部から出没可能であり、
前記外径可変部材を前記開口部から突出する方向に付勢する押上弾性部材を備えることを特徴とするペン。
【請求項７】
先端に入力部を設けたペン本体を有し、電子機器の入力手段となるペンであって、
前記ペン本体は、内筒と、
前記内筒の外周側に該内筒と同軸で軸方向に相対移動可能に設けられた外筒と、
前記内筒及び前記外筒の一方の外周壁面に形成され、前記内筒と前記外筒とを軸方向に相対移動させた場合に他方の外周壁面によって開閉される開口部と、
前記開口部から出没可能に設けられることで、該ペン本体の外径を拡縮する外径可変部材とを備え、
前記開口部は、前記内筒と前記外筒とを軸方向に相対移動させて前記ペン本体の全長が少なくとも最長となった状態で開かれる一方、前記ペン本体の全長が少なくとも最短となった状態で閉じられるものであり、
前記外径可変部材は、前記開口部が開かれた状態で該開口部から突出して前記ペン本体の外径を拡大する一方、前記開口部が閉じられた状態で該開口部から没して前記ペン本体の外径を縮小し、
前記開口部は、前記外筒の外周壁面に形成され、
前記外径可変部材は、前記外筒の内部に設けられて前記開口部から出没可能であり、
前記外径可変部材は、前記開口部から突出した状態で前記内筒の端面によって押圧された場合に該端面に摺接し、該外径可変部材を前記開口部から没する方向に移動させる受け面を有することを特徴とするペン。
【請求項８】
先端に入力部を設けたペン本体を有し、電子機器の入力手段となるペンであって、
前記ペン本体は、内筒と、
前記内筒の外周側に該内筒と同軸で軸方向に相対移動可能に設けられた外筒と、
前記内筒及び前記外筒の一方の外周壁面に形成され、前記内筒と前記外筒とを軸方向に相対移動させた場合に他方の外周壁面によって開閉される開口部と、
前記開口部から出没可能に設けられることで、該ペン本体の外径を拡縮する外径可変部材とを備え、
前記開口部は、前記内筒と前記外筒とを軸方向に相対移動させて前記ペン本体の全長が少なくとも最長となった状態で開かれる一方、前記ペン本体の全長が少なくとも最短となった状態で閉じられるものであり、
前記外径可変部材は、前記開口部が開かれた状態で該開口部から突出して前記ペン本体の外径を拡大する一方、前記開口部が閉じられた状態で該開口部から没して前記ペン本体の外径を縮小し、
前記開口部は、前記外筒の外周壁面に形成され、
前記外径可変部材は、前記外筒の内部に設けられて前記開口部から出没可能であり、
前記外径可変部材は、前記ペン本体の軸方向で一端側が前記外筒の内周壁面に対して軸支され、他端側が移動自由に設けられていることを特徴とするペン。
【請求項９】
請求項１〜８のいずれか１項に記載のペンと、前記外径可変部材を前記開口部から没した状態とした前記ペンが収納されるペン収納穴を設けた筐体とを有することを特徴とする電子機器。